(57)【要約】【課題】内燃機関から差動歯車機構までの第１動力伝達経路の変速比と、第２回転電機から差動歯車機構までの第２動力伝達経路の変速比とを、個別に最適な値に設定することが容易な車両用駆動装置を提供する。【解決手段】車両用駆動装置１００は、入力部材３と、一対の出力部材８と、同軸に配置された第１回転電機１Ａ及び第２回転電機１Ｂと、第１回転電機１Ａと一体的に回転する第１ギヤ２Ａと、第２回転電機１Ｂと一体的に回転する第２ギヤ２Ｂと、入力部材３と一体的に回転し、第１ギヤ２Ａと噛み合う第３ギヤ４と、入力部材３に対して相対的に回転するように入力部材３と同軸に配置され、第２ギヤ２Ｂと噛み合う第４ギヤ５と、第５ギヤ７１を備えた差動歯車機構７と、第３ギヤ４と第５ギヤ７１とを駆動連結する第１カウンタギヤ機構６Ａと、第４ギヤ５と第５ギヤ７１とを駆動連結する第２カウンタギヤ機構６Ｂと、を備えている。【選択図】図１
2020192912.tif 000002
【特許請求の範囲】
【請求項１】
内燃機関に駆動連結される入力部材と、
それぞれ車輪に駆動連結される一対の出力部材と、
第１ロータを備えた第１回転電機と、
前記第１回転電機と軸方向に並んで配置され、前記第１ロータと同軸に配置された第２ロータを備えた第２回転電機と、
前記第１ロータと一体的に回転する第１ギヤと、
前記第２ロータと一体的に回転する第２ギヤと、
前記入力部材と一体的に回転し、前記第１ギヤと噛み合う第３ギヤと、
前記入力部材に対して相対的に回転するように前記入力部材と同軸に配置され、前記第２ギヤと噛み合う第４ギヤと、
第５ギヤを備え、前記第５ギヤの回転を一対の前記出力部材に分配する差動歯車機構と、
前記第３ギヤと前記第５ギヤとを駆動連結する第１カウンタギヤ機構と、
前記第４ギヤと前記第５ギヤとを駆動連結する第２カウンタギヤ機構と、を備えている、車両用駆動装置。
【請求項２】
前記第３ギヤから前記第５ギヤまでの動力伝達経路の変速比と、前記第４ギヤから前記第５ギヤまでの動力伝達経路の変速比とが異なっている、請求項１に記載の車両用駆動装置。
【請求項３】
前記第３ギヤと前記第５ギヤとの間での動力伝達を断接する係合装置を更に備え、
前記係合装置は、前記第１カウンタギヤ機構と同軸に配置されている、請求項１又は２に記載の車両用駆動装置。
【請求項４】
前記係合装置の前記軸方向の配置領域と、前記第４ギヤの前記軸方向の配置領域とが重なっている、請求項３に記載の車両用駆動装置。
【請求項５】
前記第１カウンタギヤ機構は、前記第３ギヤに噛み合う第６ギヤと、前記第６ギヤに対して相対的に回転可能に配置され、前記第５ギヤに噛み合う第７ギヤと、を備え、
前記第２カウンタギヤ機構は、前記第４ギヤに噛み合う第８ギヤと、前記第８ギヤと一体的に回転すると共に前記第５ギヤに噛み合う第９ギヤと、を備え、
前記第４ギヤは、前記第３ギヤに対して、前記軸方向の一方側に配置されていると共に、前記第５ギヤに対して、前記軸方向の他方側に配置され、
前記係合装置は、前記軸方向における前記第６ギヤと前記第７ギヤとの間に配置されている、請求項３又は４に記載の車両用駆動装置。
【請求項６】
前記第７ギヤ及び前記第９ギヤは、前記軸方向に沿う軸方向視で、前記第１回転電機及び前記第２回転電機の双方と重複しないように配置され、
前記第１回転電機及び前記第２回転電機の少なくとも一方の前記軸方向の配置領域と、前記第７ギヤ及び前記第９ギヤの双方の前記軸方向の配置領域とが重なっている、請求項５に記載の車両用駆動装置。
【請求項７】
前記第３ギヤ及び前記第４ギヤが、前記軸方向に沿う軸方向視で、前記第１回転電機及び前記第２回転電機の双方と重複するように配置されている、請求項１から６のいずれか一項に記載の車両用駆動装置。
【請求項８】
前記第１ロータの回転を検出する第１回転センサと、前記第２ロータの回転を検出する第２回転センサと、を更に備え、
前記第１回転センサ及び前記第２回転センサが、前記軸方向における前記第１ロータと前記第２ロータとの間に配置されている、請求項１から７のいずれか一項に記載の車両用駆動装置。
【請求項９】
前記第１回転電機のステータコイルの端子部である第１端子部が、前記軸方向における前記第２回転電機の側に突出し、
前記第２回転電機のステータコイルの端子部である第２端子部が、前記軸方向における前記第１回転電機の側に突出し、
前記第１端子部と前記第２端子部とが、前記第１回転電機の周方向の異なる位置に配置され、
前記第１端子部の前記軸方向の配置領域と、前記第２端子部の前記軸方向の配置領域とが重なっている、請求項１から８のいずれか一項に記載の車両用駆動装置。
【請求項１０】
前記軸方向に沿う軸方向視で、前記第１回転電機の回転軸心は、前記入力部材の回転軸心に対して、前記差動歯車機構の回転軸心の側とは反対側に配置されている、請求項１から９のいずれか一項に記載の車両用駆動装置。
【請求項１１】
前記軸方向に沿う軸方向視で、前記第１回転電機の回転軸心は、前記入力部材の回転軸心と前記差動歯車機構の回転軸心とを含む仮想平面に対して下方に配置されている、請求項１から１０のいずれか一項に記載の車両用駆動装置。
【発明の詳細な説明】
【技術分野】
【０００１】
本発明は、内燃機関に駆動連結される入力部材と、それぞれ車輪に駆動連結される一対の出力部材と、第１回転電機及び第２回転電機と、を備えた車両用駆動装置に関する。
【背景技術】
【０００２】
このような車両用駆動装置の一例が、下記の特許文献１に開示されている。以下、この背景技術の説明では、特許文献１における部材名及び符号を括弧内に引用する。
【０００３】
特許文献１の車両用駆動装置は、内燃機関（エンジン２）に駆動連結される入力部材（エンジン軸１１）と、それぞれ車輪に駆動連結される一対の出力部材（ドライブシャフト４）と、第１ロータを備えた第１回転電機（発電機５）と、第１ロータと同軸に配置された第２ロータを備えた第２回転電機（電動モータ３）と、カウンタギヤ機構と、カウンタギヤ機構から伝達される駆動力を一対の出力部材（ドライブシャフト４）に分配する差動歯車機構（差動装置１６）と、を備えている。
【０００４】
更に、特許文献１の車両用駆動装置は、第１ロータと一体的に回転する第１ギヤ（発電機軸固定ギヤ３１）と、第２ロータと一体的に回転する第２ギヤ（モータ軸固定ギヤ２６）と、入力部材（エンジン軸１１）と一体的に回転し、第１ギヤ（発電機軸固定ギヤ３１）と噛み合う第３ギヤ（エンジン軸固定ギヤ２１）と、入力部材（エンジン軸１１）に対して相対的に回転するように入力部材（エンジン軸１１）と同軸に配置され、第２ギヤ（モータ軸固定ギヤ２６）と噛み合う第４ギヤ（アイドラギヤ２２）と、を備えている。
【先行技術文献】
【特許文献】
【０００５】
【特許文献１】特開２０１７−１５４７３６号公報（図１）
【発明の概要】
【発明が解決しようとする課題】
【０００６】
特許文献１の車両用駆動装置では、内燃機関（エンジン２）から差動歯車機構（差動装置１６）までの動力伝達経路である第１動力伝達経路と、第２回転電機（電動モータ３）から差動歯車機構（差動装置１６）までの動力伝達経路である第２動力伝達経路とが形成されている。そして、第４ギヤ（アイドラギヤ２２）以降の動力伝達経路が、第１動力伝達経路と第２動力伝達経路とで共用されている。このように動力伝達経路の共用部分が多いことで、第１動力伝達経路の変速比と第２動力伝達経路の変速比とを個別に設定する場合の制約が大きく、これらの変速比の双方を最適な値に設定することが難しかった。
【０００７】
そこで、内燃機関から差動歯車機構までの第１動力伝達経路の変速比と、第２回転電機から差動歯車機構までの第２動力伝達経路の変速比とを、個別に最適な値に設定することが容易な車両用駆動装置の実現が望まれる。
【課題を解決するための手段】
【０００８】
上記に鑑みた、車両用駆動装置の特徴構成は、
内燃機関に駆動連結される入力部材と、
それぞれ車輪に駆動連結される一対の出力部材と、
第１ロータを備えた第１回転電機と、
前記第１回転電機と軸方向に並んで配置され、前記第１ロータと同軸に配置された第２ロータを備えた第２回転電機と、
前記第１ロータと一体的に回転する第１ギヤと、
前記第２ロータと一体的に回転する第２ギヤと、
前記入力部材と一体的に回転し、前記第１ギヤと噛み合う第３ギヤと、
前記入力部材に対して相対的に回転するように前記入力部材と同軸に配置され、前記第２ギヤと噛み合う第４ギヤと、
第５ギヤを備え、前記第５ギヤの回転を一対の前記出力部材に分配する差動歯車機構と、
前記第３ギヤと前記第５ギヤとを駆動連結する第１カウンタギヤ機構と、
前記第４ギヤと前記第５ギヤとを駆動連結する第２カウンタギヤ機構と、を備えている点にある。
【０００９】
この特徴構成によれば、内燃機関の駆動力が、入力部材、第３ギヤ、第１カウンタギヤ機構の順に経由して、差動歯車機構に伝達される。また、第２回転電機の駆動力が、第２ギヤ、第４ギヤ、第２カウンタギヤ機構の順に経由して、差動歯車機構に伝達される。つまり、内燃機関から差動歯車機構までの動力伝達経路である第１動力伝達経路と、第２回転電機から差動歯車機構までの動力伝達経路である第２動力伝達経路とが、互いに独立して形成されている。これにより、第１動力伝達経路の変速比と第２動力伝達経路の変速比とを、個別に最適な値に設定することが容易となっている。
【図面の簡単な説明】
【００１０】
【図１】実施形態に係る車両用駆動装置の軸方向に沿う断面図
【図２】実施形態に係る車両用駆動装置のスケルトン図
【図３】実施形態に係る車両用駆動装置における第１回転電機及び第２回転電機の周辺の構成を示す断面図
【図４】実施形態に係る車両用駆動装置の各要素の位置関係を示す図
【図５】他の実施形態に係る車両用駆動装置のスケルトン図
【発明を実施するための形態】
【００１１】
以下では、実施形態に係る車両用駆動装置１００について、図面を参照して説明する。図１及び図２に示すように、車両用駆動装置１００は、第１回転電機１Ａ及び第２回転電機１Ｂと、第１ロータギヤ２Ａ及び第２ロータギヤ２Ｂと、入力部材３と、入力ギヤ４と、アイドラギヤ５と、第１カウンタギヤ機構６Ａ及び第２カウンタギヤ機構６Ｂと、差動歯車機構７と、一対の出力部材８と、を備えている。本実施形態では、これらはケースＣＳに収容されている。なお、入力部材３の一部、及び一対の出力部材８の一部は、ケースＣＳの外部に露出している。
【００１２】
入力部材３と入力ギヤ４とアイドラギヤ５とのそれぞれは、その回転軸心としての第１軸Ｘ１上に配置されている。つまり、入力部材３と入力ギヤ４とアイドラギヤ５とは、同軸に配置されている。第１回転電機１Ａと第２回転電機１Ｂとのそれぞれは、その回転軸心としての第２軸Ｘ２上に配置されている。つまり、第１回転電機１Ａと第２回転電機１Ｂとは、同軸に配置されている。本実施形態では、第１ロータギヤ２Ａ及び第２ロータギヤ２Ｂも第２軸Ｘ２上に配置されている。第１カウンタギヤ機構６Ａは、その回転軸心としての第３軸Ｘ３上に配置されている。第２カウンタギヤ機構６Ｂは、その回転軸心としての第４軸Ｘ４上に配置されている。差動歯車機構７と一対の出力部材８とのそれぞれは、その回転軸心としての第５軸Ｘ５上に配置されている。これらの軸Ｘ１〜Ｘ５は、互いに異なる仮想軸であり、互いに平行に配置されている。
【００１３】
以下の説明では、上記の軸Ｘ１〜Ｘ５に平行な方向を、車両用駆動装置１００の「軸方向Ｌ」とする。そして、軸方向Ｌにおいて、第２回転電機１Ｂに対して第１回転電機１Ａが配置される側を「軸方向第１側Ｌ１」とし、その反対側を「軸方向第２側Ｌ２」とする。また、上記の軸Ｘ１〜Ｘ５のそれぞれに直交する方向を、各軸を基準とした「径方向Ｒ」とする。なお、どの軸を基準とするかを区別する必要がない場合やどの軸を基準とするかが明らかである場合には、単に「径方向Ｒ」と記す場合がある。
【００１４】
図１に示すように、本実施形態では、ケースＣＳの内部には、第１空間Ａ１と、第２空間Ａ２と、が形成されている。第１空間Ａ１は、第１回転電機１Ａ及び第２回転電機１Ｂを収容する空間である。第２空間Ａ２は、第１ロータギヤ２Ａ及び第２ロータギヤ２Ｂ、入力部材３、入力ギヤ４、アイドラギヤ５、第１カウンタギヤ機構６Ａ及び第２カウンタギヤ機構６Ｂ、差動歯車機構７、並びに一対の出力部材８を収容する空間である。本実施形態では、第１空間Ａ１及び第２空間Ａ２は、第１空間Ａ１が第２空間Ａ２に対して軸方向第１側Ｌ１に位置するように、互いに軸方向Ｌに隣接して配置されている。
【００１５】
本実施形態では、ケースＣＳは、第１周壁部ＣＳａ１及び第２周壁部ＣＳａ２と、隔壁部ＣＳｂと、第１側壁部ＣＳｃ１、第２側壁部ＣＳｃ２及び第３側壁部ＣＳｃ３と、を有している。第１周壁部ＣＳａ１、第１側壁部ＣＳｃ１、及び隔壁部ＣＳｂによって、第１空間Ａ１が形成されている。また、第２周壁部ＣＳａ２、隔壁部ＣＳｂ、第２側壁部ＣＳｃ２、及び第３側壁部ＣＳｃ３によって、第２空間Ａ２が形成されている。
【００１６】
第１周壁部ＣＳａ１は、第１回転電機１Ａ及び第２回転電機１Ｂの径方向Ｒの外側を囲む筒状に形成されている。第２周壁部ＣＳａ２は、第１ロータギヤ２Ａ及び第２ロータギヤ２Ｂ、入力部材３、入力ギヤ４、アイドラギヤ５、第１カウンタギヤ機構６Ａ及び第２カウンタギヤ機構６Ｂ、差動歯車機構７、並びに一対の出力部材８の径方向Ｒの外側を囲む筒状に形成されている。隔壁部ＣＳｂは、第１空間Ａ１と第２空間Ａ２とを区画するように形成されている。第１側壁部ＣＳｃ１は、第１周壁部ＣＳａ１の軸方向第１側Ｌ１の開口を閉塞するように形成されている。第２側壁部ＣＳｃ２は、第２周壁部ＣＳａ２の軸方向第１側Ｌ１の開口を閉塞するように形成されている。第３側壁部ＣＳｃ３は、第２周壁部ＣＳａ２の軸方向第２側Ｌ２の開口を閉塞するように形成されている。
【００１７】
第１回転電機１Ａは、電力の供給を受けて動力を発生するモータ（電動機）としての機能と、動力の供給を受けて電力を発生するジェネレータ（発電機）としての機能とを有している。そのため、第１回転電機１Ａは、蓄電装置（図示を省略）と電気的に接続されている。この蓄電装置としては、バッテリやキャパシタ等の公知の各種の蓄電装置を用いることができる。本実施形態では、第１回転電機１Ａは、内燃機関ＥＧのトルクにより発電を行い、蓄電装置を充電し、或いは第２回転電機１Ｂを駆動するための電力を供給するジェネレータとして機能する。ただし、第１回転電機１Ａは、車両の高速走行時や内燃機関ＥＧの始動時等には、力行して駆動力（「トルク」と同義）を発生するモータとして機能する場合もある。内燃機関ＥＧは、燃料の燃焼により駆動されて動力を取り出す原動機（ガソリンエンジン、ディーゼルエンジン等）である。
【００１８】
第１回転電機１Ａは、第１ステータ１１Ａと、第１ロータ１２Ａと、を備えている。第１ステータ１１Ａは、非回転部材（ここでは、ケースＣＳ）に固定された第１ステータコア１１１Ａを有している。第１ロータ１２Ａは、第１ステータ１１Ａに対して回転可能な第１ロータコア１２１Ａを有している。本実施形態では、第１回転電機１Ａは、インナロータ型の回転電機であるため、第１ステータコア１１１Ａよりも径方向Ｒの内側に第１ロータコア１２１Ａが配置されている。
【００１９】
また、本実施形態では、第１回転電機１Ａは回転界磁型の回転電機である。そのため、図３に示すように、第１ステータコア１１１Ａには、当該第１ステータコア１１１Ａから軸方向Ｌの両側（軸方向第１側Ｌ１及び軸方向第２側Ｌ２）にそれぞれ突出するコイルエンド部が形成されるように第１ステータコイル１１２Ａが巻装されている。そして、第１ロータコア１２１Ａには、第１永久磁石１２２Ａが設けられている。なお、本実施形態では、第１ステータコイル１１２Ａの端子部である第１端子部１１３Ａが、軸方向Ｌにおける第２回転電機１Ｂの側（軸方向第２側Ｌ２）に突出している。第１端子部１１３Ａは、第１ステータコイル１１２Ａの軸方向第２側Ｌ２のコイルエンド部に含まれ、当該コイルエンド部における他の部分よりも軸方向第２側Ｌ２に突出している。第１端子部１１３Ａは、第１回転電機１Ａの周方向の一部の領域に配置されている。
【００２０】
第２回転電機１Ｂは、電力の供給を受けて動力を発生するモータ（電動機）としての機能と、動力の供給を受けて電力を発生するジェネレータ（発電機）としての機能とを有している。そのため、第２回転電機１Ｂも、第１回転電機１Ａと同様に、上記蓄電装置と電気的に接続されている。本実施形態では、第２回転電機１Ｂは、主に車両を走行させるための駆動力を発生するモータとして機能する。ただし、車両の減速時等には、第２回転電機１Ｂは、車両の慣性力を電気エネルギとして回生するジェネレータとして機能する場合もある。
【００２１】
第２回転電機１Ｂは、第１回転電機１Ａと軸方向Ｌに並んで配置されている。第２回転電機１Ｂは、第２ステータ１１Ｂと、第２ロータ１２Ｂと、を備えている。第２ステータ１１Ｂは、非回転部材（ここでは、ケースＣＳ）に固定された第２ステータコア１１１Ｂを有している。第２ロータ１２Ｂは、第１ロータ１２Ａと同軸に配置されている。第２ロータ１２Ｂは、第２ステータ１１Ｂに対して回転可能な第２ロータコア１２１Ｂを有している。本実施形態では、第２回転電機１Ｂは、インナロータ型の回転電機であるため、第２ステータコア１１１Ｂよりも径方向Ｒの内側に第２ロータコア１２１Ｂが配置されている。
【００２２】
また、本実施形態では、第２回転電機１Ｂは回転界磁型の回転電機である。そのため、第２ステータコア１１１Ｂには、当該第２ステータコア１１１Ｂから軸方向Ｌの両側（軸方向第１側Ｌ１及び軸方向第２側Ｌ２）にそれぞれ突出するコイルエンド部が形成されるように第２ステータコイル１１２Ｂが巻装されている。そして、第２ロータコア１２１Ｂには、第２永久磁石１２２Ｂが設けられている。なお、本実施形態では、第２ステータコイル１１２Ｂの端子部である第２端子部１１３Ｂが、軸方向Ｌにおける第１回転電機１Ａの側（軸方向第１側Ｌ１）に突出している。第２端子部１１３Ｂは、第２ステータコイル１１２Ｂの軸方向第１側Ｌ１のコイルエンド部に含まれ、当該コイルエンド部における他の部分よりも軸方向第１側Ｌ１に突出している。第２端子部１１３Ｂは、第２回転電機１Ｂの周方向の一部の領域に配置されている。
【００２３】
本実施形態では、第１ステータコイル１１２Ａのコイルエンド部と、第２ステータコイル１１２Ｂのコイルエンド部とが、軸方向Ｌに対向するように配置されている。本実施形態では、第１端子部１１３Ａと第２端子部１１３Ｂとが、第２軸Ｘ２を基準とした周方向の異なる位置に配置されている。そして、第１端子部１１３Ａの軸方向Ｌの配置領域と、第２端子部１１３Ｂの軸方向Ｌの配置領域とが重なっている。なお、第１ステータコイル１１２Ａのコイルエンド部における第１端子部１１３Ａを除いた部分と、第２ステータコイル１１２Ｂのコイルエンド部における第２端子部１１３Ｂを除いた部分とは、互いに軸方向Ｌに離間している。
【００２４】
図１に示すように、第１ロータギヤ２Ａは、第１ロータ軸２１Ａによって第１ロータ１２Ａに連結されている。第１ロータギヤ２Ａは、第１ロータ１２Ａと一体的に回転する「第１ギヤ」に相当する。本実施形態では、第１ロータギヤ２Ａは、第２ロータギヤ２Ｂに対して軸方向第２側Ｌ２に配置されている。
【００２５】
第１ロータ軸２１Ａは、軸方向Ｌに沿って延在するように形成されている。本実施形態では、第１ロータ軸２１Ａの外周面に、第１ロータギヤ２Ａが形成されている。また、本実施形態では、第１ロータ軸２１Ａは、軸方向Ｌの異なる位置に配置された一対の第１ロータ軸支持軸受Ｂ１によって、ケースＣＳに対して回転可能に支持されている。具体的には、第１ロータ軸２１Ａは、隔壁部ＣＳｂを軸方向Ｌに貫通して、第１側壁部ＣＳｃ１から第３側壁部ＣＳｃ３に亘って延在している。そして、第１ロータ軸２１Ａは、軸方向第１側Ｌ１の第１ロータ軸支持軸受Ｂ１を介して、第１側壁部ＣＳｃ１に対して回転可能に支持されている。更に、第１ロータ軸２１Ａは、軸方向第２側Ｌ２の第１ロータ軸支持軸受Ｂ１を介して、第３側壁部ＣＳｃ３に対して回転可能に支持されている。
【００２６】
図３に示すように、本実施形態では、第１ロータ軸２１Ａは、第１ロータ１２Ａを支持する第１ロータ支持部材１３Ａと一体的に回転するように連結されている。第１ロータ支持部材１３Ａは、第１支持部１３１Ａと、第１連結部１３２Ａと、を有している。
【００２７】
第１支持部１３１Ａは、軸方向Ｌに沿って延在する筒状に形成されている。第１支持部１３１Ａは、第１ロータ１２Ａを径方向Ｒの内側から支持している。
【００２８】
第１連結部１３２Ａは、軸方向Ｌに沿って延在する筒状に形成されている。第１連結部１３２Ａは、第１支持部１３１Ａよりも小径であって、第１ロータ軸２１Ａよりも大径に形成されている。第１連結部１３２Ａは、第１支持部１３１Ａに対して径方向Ｒの内側に配置された状態で、第１支持部１３１Ａと一体的に回転するように連結されている。図示の例では、第１連結部１３２Ａは、溶接によって第１支持部１３１Ａと一体的に連結されている。また、第１連結部１３２Ａは、第１ロータ軸２１Ａに対して径方向Ｒの外側に配置された状態で、第１ロータ軸２１Ａと一体的に回転するように連結されている。図示の例では、第１連結部１３２Ａは、スプライン係合によって第１ロータ軸２１Ａと一体的に連結されている。
【００２９】
本実施形態では、第１連結部１３２Ａは、一対の第１ロータ軸受Ｂ２によって、ケースＣＳに対して回転可能に支持されている。一対の第１ロータ軸受Ｂ２は、第１連結部１３２Ａと第１支持部１３１Ａとの連結部を挟んで軸方向Ｌの両側に配置されている。軸方向第１側Ｌ１の第１ロータ軸受Ｂ２は、第１側壁部ＣＳｃ１に支持されている。軸方向第２側Ｌ２の第１ロータ軸受Ｂ２は、第１支持壁部ＣＳｄ１に支持されている。
【００３０】
第１支持壁部ＣＳｄ１は、軸方向Ｌにおける第１ロータ１２Ａと第２ロータ１２Ｂとの間に配置されている。第１支持壁部ＣＳｄ１は、第２軸Ｘ２を基準とした径方向Ｒに沿って延在している。第１支持壁部ＣＳｄ１は、第１周壁部ＣＳａ１に固定されている。図示の例では、第１支持壁部ＣＳｄ１は、第１ステータコイル１１２Ａ及び第２ステータコイル１１２Ｂのコイルエンド部同士が軸方向Ｌに離間した部分を通って、当該コイルエンド部よりも径方向Ｒの外側まで延在している。また、図示の例では、第１支持壁部ＣＳｄ１における上記コイルエンド部よりも径方向Ｒの外側部分に、第１ステータコア１１１Ａ及び第２ステータコア１１１Ｂがボルト締結によって連結されている。
【００３１】
図１に示すように、第２ロータギヤ２Ｂは、第２ロータ軸２１Ｂによって第２ロータ１２Ｂに連結されている。第２ロータギヤ２Ｂは、第２ロータ１２Ｂと一体的に回転する「第２ギヤ」に相当する。本実施形態では、第２ロータギヤ２Ｂは、第２回転電機１Ｂに対して軸方向第２側Ｌ２に配置されている。また、本実施形態では、第２ロータギヤ２Ｂは、第１ロータギヤ２Ａよりも小径である。
【００３２】
第２ロータ軸２１Ｂは、軸方向Ｌに沿って延在するように形成されている。本実施形態では、第２ロータ軸２１Ｂの外周面に、第２ロータギヤ２Ｂが形成されている。また、本実施形態では、第２ロータ軸２１Ｂは、筒状に形成されており、その径方向Ｒの内側を第１ロータ軸２１Ａが軸方向Ｌに貫通するように配置されている。また、本実施形態では、第２ロータ軸２１Ｂは、軸方向Ｌの異なる位置に配置された一対の第２ロータ軸支持軸受Ｂ３によって、ケースＣＳに対して回転可能に支持されている。具体的には、第２ロータ軸２１Ｂは、隔壁部ＣＳｂを軸方向Ｌに貫通して、ケースＣＳの第１空間Ａ１から第２空間Ａ２に亘って延在している。そして、第２ロータ軸２１Ｂは、軸方向第１側Ｌ１の第２ロータ軸支持軸受Ｂ３を介して、隔壁部ＣＳｂに対して回転可能に支持されている。更に、第２ロータ軸２１Ｂは、軸方向第２側Ｌ２の第２ロータ軸支持軸受Ｂ３を介して、第２周壁部ＣＳａ２に固定された支持壁部ＣＳｅに対して回転可能に支持されている。
【００３３】
図３に示すように、本実施形態では、第２ロータ軸２１Ｂは、第２ロータ１２Ｂを支持する第２ロータ支持部材１３Ｂと一体的に回転するように連結されている。第２ロータ支持部材１３Ｂは、第２支持部１３１Ｂと、第２連結部１３２Ｂと、を有している。
【００３４】
第２支持部１３１Ｂは、軸方向Ｌに沿って延在する筒状に形成されている。第２支持部１３１Ｂは、第２ロータ１２Ｂを径方向Ｒの内側から支持している。
【００３５】
第２連結部１３２Ｂは、軸方向Ｌに沿って延在する筒状に形成されている。第２連結部１３２Ｂは、第２支持部１３１Ｂよりも小径であって、第２ロータ軸２１Ｂよりも大径に形成されている。第２連結部１３２Ｂは、第２支持部１３１Ｂに対して径方向Ｒの内側に配置された状態で、第２支持部１３１Ｂと一体的に回転するように連結されている。図示の例では、第２連結部１３２Ｂは、溶接によって第２支持部１３１Ｂと一体的に連結されている。また、第２連結部１３２Ｂは、第２ロータ軸２１Ｂに対して径方向Ｒの外側に配置された状態で、第２ロータ軸２１Ｂと一体的に回転するように連結されている。図示の例では、第２連結部１３２Ｂは、スプライン係合によって第２ロータ軸２１Ｂと一体的に連結されている。
【００３６】
本実施形態では、第２連結部１３２Ｂは、一対の第２ロータ軸受Ｂ４によって回転可能に支持されている。一対の第２ロータ軸受Ｂ４は、第２連結部１３２Ｂと第２支持部１３１Ｂとの連結部を挟んで軸方向Ｌの両側に配置されている。軸方向第２側Ｌ２の第２ロータ軸受Ｂ４は、隔壁部ＣＳｂに支持されている。軸方向第１側Ｌ１の第２ロータ軸受Ｂ４は、第２支持壁部ＣＳｄ２に支持されている。
【００３７】
第２支持壁部ＣＳｄ２は、軸方向Ｌにおける第１ロータ１２Ａと第２ロータ１２Ｂとの間に配置されている。第２支持壁部ＣＳｄ２は、第１支持壁部ＣＳｄ１に固定されている。図示の例では、第２支持壁部ＣＳｄ２は、第１支持壁部ＣＳｄ１に対して軸方向第２側Ｌ２に隣接し、ボルト締結によって第１支持壁部ＣＳｄ１と一体的に連結されている。第２支持壁部ＣＳｄ２は、第１ステータコイル１１２Ａのコイルエンド部及び第２ステータコイル１１２Ｂのコイルエンド部よりも、径方向Ｒの内側に配置されている。
【００３８】
図１に示すように、入力部材３は、軸方向Ｌに沿って延在するように形成されている。本実施形態では、入力部材３は、第３側壁部ＣＳｃ３から軸方向第２側Ｌ２に突出するように、第３側壁部ＣＳｃ３を軸方向Ｌに貫通している。入力部材３は、内燃機関ＥＧに駆動連結されている。本実施形態では、入力部材３は、ダンパ装置ＤＰを介して内燃機関ＥＧの出力軸（クランクシャフト等）に駆動連結されている。ダンパ装置ＤＰは、伝達されるトルクの変動を減衰する装置である。本実施形態では、ダンパ装置ＤＰには、出力側から過大なトルクが入力される等した場合に、出力部材８から内燃機関ＥＧまでの動力伝達経路に過大な負荷が作用することを制限するためのトルクリミッタが設けられている。
【００３９】
ここで、本願において「駆動連結」とは、２つの回転要素が駆動力を伝達可能に連結された状態を指し、当該２つの回転要素が一体的に回転するように連結された状態、或いは当該２つの回転要素が１つ又は２つ以上の伝動部材を介して駆動力を伝達可能に連結された状態を含む。このような伝動部材としては、回転を同速で又は変速して伝達する各種の部材、例えば、軸、歯車機構、ベルト、チェーン等が含まれる。なお、伝動部材として、回転及び駆動力を選択的に伝達する係合装置、例えば、摩擦係合装置、噛み合い式係合装置等が含まれていても良い。ただし、差動歯車機構７において、各回転要素について「駆動連結」という場合には、３つ以上の回転要素に関して互いに他の回転要素を介することなく駆動連結されている状態を指すものとする。
【００４０】
本実施形態では、入力部材３は、一対の入力軸受Ｂ５によって、ケースＣＳに対して回転可能に支持されている。一対の入力軸受Ｂ５は、入力ギヤ４を挟んで軸方向Ｌの両側に配置されている。軸方向第２側Ｌ２の入力軸受Ｂ５は、第３側壁部ＣＳｃ３に支持されている。軸方向第１側Ｌ１の入力軸受Ｂ５は、筒壁部ＣＳｆに支持されている。筒壁部ＣＳｆは、支持壁部ＣＳｅから軸方向第１側Ｌ１に突出する筒状に形成されている。そして、筒壁部ＣＳｆの径方向Ｒの内側に、入力部材３の軸方向第１側Ｌ１の端部が配置された状態で、筒壁部ＣＳｆの内周面と入力部材３の外周面との間に、軸方向第１側Ｌ１の入力軸受Ｂ５が介装されている。
【００４１】
入力ギヤ４は、入力部材３と一体的に回転するように構成されている。本実施形態では、入力ギヤ４は、入力部材３と一体的に形成されている。入力ギヤ４は、第１ロータギヤ２Ａと噛み合っている。このように、入力ギヤ４は、入力部材３と一体的に回転し、第１ギヤ（第１ロータギヤ２Ａ）と噛み合う「第３ギヤ」に相当する。
【００４２】
アイドラギヤ５は、入力部材３に対して相対的に回転するように構成されている。本実施形態では、アイドラギヤ５は、筒壁部ＣＳｆの外周面に配置された一対のアイドラ軸受Ｂ６によって、径方向Ｒの内側から回転可能に支持されている。つまり、アイドラギヤ５の内周面と筒壁部ＣＳｆの外周面との間に、一対のアイドラ軸受Ｂ６が介装されている。一対のアイドラ軸受Ｂ６は、互いに軸方向Ｌに隣接して配置されている。また、アイドラギヤ５は、入力部材３と同軸に配置されている。更に、アイドラギヤ５は、第２ロータギヤ２Ｂと噛み合っている。以上のように、アイドラギヤ５は、入力部材３に対して相対的に回転するように入力部材３と同軸に配置され、第２ギヤ（第２ロータギヤ２Ｂ）と噛み合う「第４ギヤ」に相当する。
【００４３】
本実施形態では、アイドラギヤ５は、入力ギヤ４に対して、軸方向Ｌの一方側（軸方向第１側Ｌ１）に配置されている。更に、本実施形態では、アイドラギヤ５は、差動歯車機構７に備えられた「第５ギヤ」である差動入力ギヤ７１に対して、軸方向Ｌの他方側（軸方向第２側Ｌ２）に配置されている。
【００４４】
第１カウンタギヤ機構６Ａは、入力ギヤ４と差動歯車機構７との間の動力伝達経路に配置されている。具体的には、第１カウンタギヤ機構６Ａは、入力ギヤ４と差動入力ギヤ７１とを駆動連結している。本実施形態では、第１カウンタギヤ機構６Ａは、第１カウンタ軸６１Ａと、第１カウンタ入力ギヤ６２Ａと、第１カウンタ出力ギヤ６３Ａとを有している。
【００４５】
第１カウンタ軸６１Ａは、軸方向Ｌに沿って延在するように形成されている。本実施形態では、第１カウンタ軸６１Ａは、軸方向Ｌの異なる位置に配置された一対の第１カウンタ軸受Ｂ７によって、ケースＣＳに対して回転可能に支持されている。具体的には、第１カウンタ軸６１Ａは、第２側壁部ＣＳｃ２から第３側壁部ＣＳｃ３に亘って延在している。そして、第１カウンタ軸６１Ａは、軸方向第１側Ｌ１の第１カウンタ軸受Ｂ７を介して、第２側壁部ＣＳｃ２に対して回転可能に支持されている。更に、第１カウンタ軸６１Ａは、軸方向第２側Ｌ２の第１カウンタ軸受Ｂ７を介して、第３側壁部ＣＳｃ３に対して回転可能に支持されている。
【００４６】
第１カウンタ入力ギヤ６２Ａは、第１カウンタギヤ機構６Ａの入力要素である。第１カウンタ入力ギヤ６２Ａは、入力ギヤ４の周方向における第１ロータギヤ２Ａとは異なる位置で、入力ギヤ４と噛み合っている。つまり、第１カウンタ入力ギヤ６２Ａは、第３ギヤ（入力ギヤ４）と噛み合う「第６ギヤ」に相当する。
【００４７】
第１カウンタ出力ギヤ６３Ａは、第１カウンタギヤ機構６Ａの出力要素である。第１カウンタ出力ギヤ６３Ａは、差動入力ギヤ７１に噛み合っている。第１カウンタ出力ギヤ６３Ａは、第１カウンタ入力ギヤ６２Ａに対して相対的に回転可能に配置されている。本実施形態では、第１カウンタ出力ギヤ６３Ａが、第１カウンタ軸６１Ａと一体的に形成されている。そして、第１カウンタ入力ギヤ６２Ａが、当該第１カウンタ入力ギヤ６２Ａの内周面と第１カウンタ軸６１Ａの外周面との間に介装されたカウンタギヤ軸受Ｂ８によって、第１カウンタ軸６１Ａに対して回転可能に支持されている。こうして、第１カウンタ出力ギヤ６３Ａは、第１カウンタ入力ギヤ６２Ａに対して相対的に回転する。以上のように、第１カウンタ出力ギヤ６３Ａは、第６ギヤ（第１カウンタ入力ギヤ６２Ａ）に対して相対的に回転可能に配置され、第５ギヤ（差動入力ギヤ７１）に噛み合う「第７ギヤ」に相当する。本実施形態では、第１カウンタ出力ギヤ６３Ａは、第１カウンタ入力ギヤ６２Ａよりも軸方向第１側Ｌ１に配置されている。また、本実施形態では、第１カウンタ出力ギヤ６３Ａは、第１カウンタ入力ギヤ６２Ａよりも小径に形成されている。
【００４８】
第２カウンタギヤ機構６Ｂは、アイドラギヤ５と差動歯車機構７との間の動力伝達経路に配置されている。具体的には、第２カウンタギヤ機構６Ｂは、アイドラギヤ５と差動入力ギヤ７１とを駆動連結している。本実施形態では、第２カウンタギヤ機構６Ｂは、第２カウンタ軸６１Ｂと、第２カウンタ入力ギヤ６２Ｂと、第２カウンタ出力ギヤ６３Ｂとを有している。
【００４９】
第２カウンタ軸６１Ｂは、軸方向Ｌに沿って延在するように形成されている。本実施形態では、第２カウンタ軸６１Ｂは、軸方向Ｌの異なる位置に配置された一対の第２カウンタ軸受Ｂ９によって、ケースＣＳに対して回転可能に支持されている。具体的には、第２カウンタ軸６１Ｂは、第２側壁部ＣＳｃ２から第３側壁部ＣＳｃ３に亘って延在している。そして、第２カウンタ軸６１Ｂは、軸方向第１側Ｌ１の第２カウンタ軸受Ｂ９を介して、第２側壁部ＣＳｃ２に対して回転可能に支持されている。更に、第２カウンタ軸６１Ｂは、軸方向第２側Ｌ２の第２カウンタ軸受Ｂ９を介して、第３側壁部ＣＳｃ３に対して回転可能に支持されている。
【００５０】
第２カウンタ入力ギヤ６２Ｂは、第２カウンタギヤ機構６Ｂの入力要素である。第２カウンタ入力ギヤ６２Ｂは、アイドラギヤ５の周方向における第２ロータギヤ２Ｂとは異なる位置で、アイドラギヤ５と噛み合っている。つまり、第２カウンタ入力ギヤ６２Ｂは、第４ギヤ（アイドラギヤ５）と噛み合う「第８ギヤ」に相当する。図示の例では、第２カウンタ入力ギヤ６２Ｂは、第２カウンタ軸６１Ｂに対してスプライン係合によって連結されている。なお、図２において、アイドラギヤ５と第２カウンタ入力ギヤ６２Ｂとを接続する破線は、第２カウンタ入力ギヤ６２Ｂとアイドラギヤ５とが互いに噛み合っていることを示している。
【００５１】
第２カウンタ出力ギヤ６３Ｂは、第２カウンタギヤ機構６Ｂの出力要素である。第２カウンタ出力ギヤ６３Ｂは、第２カウンタ入力ギヤ６２Ｂと一体的に回転する。そして、第２カウンタ出力ギヤ６３Ｂは、差動入力ギヤ７１の周方向における第１カウンタ出力ギヤ６３Ａとは異なる位置で、差動入力ギヤ７１と噛み合っている。このように、第２カウンタ出力ギヤ６３Ｂは、第８ギヤ（第２カウンタ入力ギヤ６２Ｂ）と一体的に回転すると共に第５ギヤ（差動入力ギヤ７１）に噛み合う「第９ギヤ」に相当する。本実施形態では、第２カウンタ出力ギヤ６３Ｂは、第２カウンタ入力ギヤ６２Ｂよりも軸方向第１側Ｌ１に配置されている。また、本実施形態では、第２カウンタ出力ギヤ６３Ｂは、第２カウンタ入力ギヤ６２Ｂよりも小径に形成されている。
【００５２】
図４に示すように、本実施形態では、第１カウンタ出力ギヤ６３Ａ及び第２カウンタ出力ギヤ６３Ｂは、軸方向Ｌに沿う軸方向視で、第１回転電機１Ａ及び第２回転電機１Ｂの双方と重複しないように配置されている。そして、図１に示すように、本実施形態では、第１カウンタ出力ギヤ６３Ａ及び第２カウンタ出力ギヤ６３Ｂは、それら双方の軸方向Ｌの配置領域と、第１回転電機１Ａ及び第２回転電機１Ｂの少なくとも一方の軸方向Ｌの配置領域とが重なるように配置されている。図示の例では、第１回転電機１Ａ及び第２回転電機１Ｂの双方の軸方向Ｌの配置領域と、第１カウンタ出力ギヤ６３Ａ及び第２カウンタ出力ギヤ６３Ｂの双方の軸方向Ｌの配置領域とが重なっている。なお、２つの要素の配置に関して、「特定方向視で重複する」とは、その視線方向に平行な仮想直線を当該仮想直線と直交する各方向に移動させた場合に、当該仮想直線が２つの要素の双方に交わる領域が少なくとも一部に存在することを指す。
【００５３】
差動歯車機構７は、差動入力ギヤ７１の回転を一対の出力部材８に分配する。本実施形態では、差動歯車機構７は、上記の差動入力ギヤ７１に加えて、差動ケース７２と、一対のピニオンギヤ７３と、一対のサイドギヤ７４と、を備えている。ここでは、一対のピニオンギヤ７３、及び一対のサイドギヤ７４は、いずれも傘歯車である。
【００５４】
差動ケース７２は、差動入力ギヤ７１と一体的に回転するように連結されている。本実施形態では、差動ケース７２は、軸方向Ｌの異なる位置に配置された一対の差動軸受Ｂ１０によって、ケースＣＳに対して回転可能に支持されている。具体的には、差動ケース７２は、第２側壁部ＣＳｃ２から第３側壁部ＣＳｃ３に亘って配置されている。そして、差動ケース７２は、軸方向第１側Ｌ１の差動軸受Ｂ１０を介して、第２側壁部ＣＳｃ２に対して回転可能に支持されている。更に、差動ケース７２は、軸方向第２側Ｌ２の差動軸受Ｂ１０を介して、第３側壁部ＣＳｃ３に対して回転可能に支持されている。
【００５５】
差動ケース７２は、中空の部材である。差動ケース７２の内部には、一対のピニオンギヤ７３と、一対のサイドギヤ７４と、が収容されている。
【００５６】
一対のピニオンギヤ７３は、第５軸Ｘ５を基準とした径方向Ｒに沿って互いに間隔を空けて対向するように配置されている。そして、一対のピニオンギヤ７３のそれぞれは、差動ケース７２と一体的に回転するように支持されたピニオンシャフト７３ａに取り付けられている。一対のピニオンギヤ７３のそれぞれは、ピニオンシャフト７３ａを中心として回転（自転）可能、かつ、第５軸Ｘ５を中心として回転（公転）可能に構成されている。
【００５７】
一対のサイドギヤ７４は、差動歯車機構７における駆動力の分配後の回転要素である。一対のサイドギヤ７４は、互いに軸方向Ｌに間隔を空けて、一対のピニオンシャフト７３ａを挟んで対向するように配置されている。一対のサイドギヤ７４は、一対のピニオンギヤ７３と噛み合っている。一対のサイドギヤ７４のそれぞれは、出力部材８と一体的に回転するように連結されている。
【００５８】
一対の出力部材８のそれぞれは、車輪Ｗに駆動連結されている。一対の出力部材８は、差動歯車機構７から軸方向Ｌの両側に突出するように形成されている。本実施形態では、一対の出力部材８のそれぞれは、サイドギヤ７４と一体的に回転するように連結されている。具体的には、軸方向第１側Ｌ１の出力部材８は、軸方向第１側Ｌ１のサイドギヤ７４から軸方向第１側Ｌ１に突出するように、当該サイドギヤ７４と一体的に連結されている。そして、軸方向第２側Ｌ２の出力部材８は、軸方向第２側Ｌ２のサイドギヤ７４から軸方向第２側Ｌ２に突出するように、当該サイドギヤ７４と一体的に連結されている。また、本実施形態では、一対の出力部材８のそれぞれは、軸方向Ｌの両側の端面が開放した円筒状に形成されている。
【００５９】
本実施形態では、軸方向第１側Ｌ１の出力部材８は、その軸方向第１側Ｌ１の端部が第２側壁部ＣＳｃ２を軸方向Ｌに貫通してケースＣＳの外部に露出するように配置されている。そして、軸方向第２側Ｌ２の出力部材８は、その軸方向第２側Ｌ２の端部が第３側壁部ＣＳｃ３を軸方向Ｌに貫通してケースＣＳの外部に露出するように配置されている。本実施形態では、各出力部材８の径方向Ｒの内側に、車輪Ｗに駆動連結されたドライブシャフト（図示を省略）が配置された状態で、それらが一体的に回転するように連結される。例えば、出力部材８の内周面とドライブシャフトの外周面とのそれぞれに、対応するスプラインが形成されており、それらのスプライン同士が係合することにより、出力部材８とドライブシャフトが一体的に回転するように連結される。
【００６０】
以上のように構成された車両用駆動装置１００においては、内燃機関ＥＧの駆動力が、入力部材３、入力ギヤ４、第１カウンタギヤ機構６Ａの順に経由して、差動歯車機構７に伝達される。また、第２回転電機１Ｂの駆動力が、第２ロータギヤ２Ｂ、アイドラギヤ５、第２カウンタギヤ機構６Ｂの順に経由して、差動歯車機構７に伝達される。つまり、図２において二点鎖線で示すように、内燃機関ＥＧから差動歯車機構７までの動力伝達経路である第１動力伝達経路Ｐ１と、第２回転電機１Ｂから差動歯車機構７までの動力伝達経路である第２動力伝達経路Ｐ２とが、互いに独立して形成されている。そして、第１動力伝達経路Ｐ１の変速比と第２動力伝達経路Ｐ２の変速比とは、互いに異なる値に設定されている。本実施形態では、入力ギヤ４から差動入力ギヤ７１までの動力伝達経路の変速比と、アイドラギヤ５から差動入力ギヤ７１までの動力伝達経路の変速比とが異なっている。本例では、入力ギヤ４から差動入力ギヤ７１までの動力伝達経路の減速比よりも、アイドラギヤ５から差動入力ギヤ７１までの動力伝達経路の減速比の方が大きくなっている。
【００６１】
図１及び図２に示すように、本実施形態では、車両用駆動装置１００は、入力ギヤ４と差動入力ギヤ７１との間での動力伝達を断接する係合装置ＣＬを更に備えている。ここでは、係合装置ＣＬは、第３軸Ｘ３上に配置されている。つまり、係合装置ＣＬは、第１カウンタギヤ機構６Ａと同軸に配置されている。そして、係合装置ＣＬは、第１カウンタ入力ギヤ６２Ａと第１カウンタ出力ギヤ６３Ａとの間で動力伝達を断接するように構成されている。本実施形態では、係合装置ＣＬは、噛み合い式係合装置（ドグクラッチ）である。そして、本実施形態では、係合装置ＣＬは、ソレノイド等のアクチュエータによって係合状態と解放状態とを切り替え可能に構成されている。
【００６２】
具体的には、係合装置ＣＬは、アクチュエータによって軸方向Ｌに沿って移動するように構成された第１爪部ＣＬａと、第１爪部ＣＬａが係合される第２爪部ＣＬｂと、を有している。第１爪部ＣＬａは、第１カウンタ軸６１Ａと一体的に回転するように、軸方向Ｌへ移動自在に第１カウンタ軸６１Ａに支持されている。第２爪部ＣＬｂは、第１カウンタ入力ギヤ６２Ａに配置されている。図示の例では、第１爪部ＣＬａは、第１カウンタ入力ギヤ６２Ａに対して軸方向第１側Ｌ１に隣接するように配置されている。そして、第２爪部ＣＬｂは、第１カウンタ入力ギヤ６２Ａの入力ギヤ４との噛み合い部に対して軸方向第１側Ｌ１に隣接するように配置されている。係合装置ＣＬは、第２爪部ＣＬｂに第１爪部ＣＬａが係合することで係合状態となり、第２爪部ＣＬｂから第１爪部ＣＬａが離間することで解放状態となる。係合装置ＣＬが係合状態である場合、入力ギヤ４と差動入力ギヤ７１との間で動力が伝達される。一方、係合装置ＣＬが解放状態である場合、入力ギヤ４と差動入力ギヤ７１との間での動力伝達が遮断される。本実施形態では、係合装置ＣＬが噛み合い式係合装置であるため、係合装置ＣＬが係合状態である場合、第１カウンタ軸６１Ａと第１カウンタ入力ギヤ６２Ａとが一体的に回転する。そして、係合装置ＣＬが係合状態である場合に、第１動力伝達経路Ｐ１が形成される。
【００６３】
本実施形態では、係合装置ＣＬの軸方向Ｌの配置領域と、アイドラギヤ５の軸方向Ｌの配置領域とが重なっている。また、本実施形態では、係合装置ＣＬは、軸方向Ｌにおける第１カウンタ入力ギヤ６２Ａと第１カウンタ出力ギヤ６３Ａとの間に配置されている。
【００６４】
図３に示すように、本実施形態では、車両用駆動装置１００は、第１ロータ１２Ａの回転を検出する第１回転センサ９Ａと、第２ロータ１２Ｂの回転を検出する第２回転センサ９Ｂと、を更に備えている。第１回転センサ９Ａ及び第２回転センサ９Ｂは、軸方向Ｌにおける第１ロータ１２Ａと第２ロータ１２Ｂとの間に配置されている。本実施形態では、第１回転センサ９Ａと第２回転センサ９Ｂとのそれぞれは、レゾルバである。図示の例では、第１回転センサ９Ａのステータが第１支持壁部ＣＳｄ１に支持され、第１回転センサ９Ａのロータが第１ロータ支持部材１３Ａの第１連結部１３２Ａに支持されている。そして、第２回転センサ９Ｂのステータが第２支持壁部ＣＳｄ２に支持され、第２回転センサ９Ｂのロータが第２ロータ支持部材１３Ｂの第２連結部１３２Ｂに支持されている。
【００６５】
図１に示すように、本実施形態では、車両用駆動装置１００は、油を吐出する油圧ポンプＯＰを更に備えている。油圧ポンプＯＰは、当該油圧ポンプＯＰを駆動するためのポンプ駆動ギヤＯＰａを備えている。本実施形態では、ポンプ駆動ギヤＯＰａは、第１ロータギヤ２Ａの周方向における入力ギヤ４とは異なる位置で、第１ロータギヤ２Ａと噛み合っている。
【００６６】
図４に示すように、本実施形態では、軸方向Ｌに沿う軸方向視で、第１回転電機１Ａの回転軸心（第２軸Ｘ２）は、入力部材３の回転軸心（第１軸Ｘ１）に対して、差動歯車機構７の回転軸心（第５軸Ｘ５）の側とは反対側に配置されている。説明を加えると、軸方向Ｌに沿う軸方向視で、第１軸Ｘ１と第５軸Ｘ５とを含む第１仮想平面Ｓ１に直交する第２仮想平面Ｓ２に対して、第５軸Ｘ５とは反対側に第２軸Ｘ２が配置されている。
【００６７】
また、本実施形態では、軸方向Ｌに沿う軸方向視で、第１回転電機１Ａの回転軸心（第２軸Ｘ２）は、第１仮想平面Ｓ１に対して下方に配置されている。更に、本実施形態では、第２カウンタギヤ機構６Ｂの回転軸心（第４軸Ｘ４）も、軸方向Ｌに沿う軸方向視で、第１仮想平面Ｓ１に対して下方に配置されている。一方、本実施形態では、第１カウンタギヤ機構６Ａの回転軸心（第３軸Ｘ３）は、第１仮想平面Ｓ１に対して上方に配置されている。つまり、本実施形態では、第３軸Ｘ３と第４軸Ｘ４とが、第１仮想平面Ｓ１を挟んで上下に分かれて配置されている。また、本実施形態では、第３軸Ｘ３と第４軸Ｘ４とは、第１仮想平面Ｓ１に沿う方向における、第１軸Ｘ１と第５軸Ｘ５との間に配置されている。ここで、「下方」とは、車両に搭載した状態の車両用駆動装置１００の鉛直方向の下側を意味する。また、「上方」とは、車両に搭載した状態の車両用駆動装置１００の鉛直方向の上側を意味する。なお、図４においては、車両用駆動装置１００の鉛直方向を矢印Ｖで示している。
【００６８】
本実施形態では、入力ギヤ４及びアイドラギヤ５が、軸方向Ｌに沿う軸方向視で、第１回転電機１Ａ及び第２回転電機１Ｂの双方と重複するように配置されている。本例では、入力ギヤ４及びアイドラギヤ５の全体が、軸方向視で、第１回転電機１Ａ及び第２回転電機１Ｂの双方と重複するように配置されている。なお、本例では、第１回転電機１Ａ（第１ステータ１１Ａ）の外径と、第２回転電機１Ｂ（第２ステータ１１Ｂ）の外径とは同一とされる。
【００６９】
また、本実施形態では、第１カウンタギヤ機構６Ａ及び第２カウンタギヤ機構６Ｂも、軸方向視で、第１回転電機１Ａ及び第２回転電機１Ｂの双方と重複するように配置されている。本例では、第１カウンタギヤ機構６Ａの一部（具体的には第１カウンタ入力ギヤ６２Ａの一部）及び第２カウンタギヤ機構６Ｂの一部（具体的には第２カウンタ入力ギヤ６２Ｂの一部）が、軸方向視で、第１回転電機１Ａ及び第２回転電機１Ｂの双方と重複するように配置されている。
【００７０】
また、本実施形態では、油圧ポンプＯＰも、軸方向Ｌに沿う軸方向視で、第１回転電機１Ａ及び第２回転電機１Ｂの双方と重複するように配置されている。本例では、油圧ポンプＯＰの全体が、軸方向視で、第１回転電機１Ａ及び第２回転電機１Ｂの双方と重複するように配置されている。なお、油圧ポンプＯＰは、入力ギヤ４、アイドラギヤ５、第１カウンタギヤ機構６Ａ及び第２カウンタギヤ機構６Ｂ、並びに差動歯車機構７と干渉しない領域に配置されている。
【００７１】
〔その他の実施形態〕
（１）上記の実施形態では、係合装置ＣＬが噛み合い式係合装置である構成を例として説明したが、そのような構成に限定されない。例えば、図５に示すように、係合装置ＣＬが、油圧によって摩擦部材同士の係合の状態が制御される油圧式の摩擦係合装置であっても良い。なお、このような構成では、出力側から過大なトルクが入力される等した場合に、摩擦部材同士がスリップして出力部材８から内燃機関ＥＧまでの動力伝達経路に過大な負荷が作用することが制限されるため、ダンパ装置ＤＰにトルクリミッタを設けなくても良い。
【００７２】
（２）上記の実施形態では、入力ギヤ４から差動入力ギヤ７１までの動力伝達経路の変速比と、アイドラギヤ５から差動入力ギヤ７１までの動力伝達経路の変速比とが異なっている構成を例として説明した。しかし、そのような構成に限定されることなく、入力ギヤ４から差動入力ギヤ７１までの動力伝達経路の変速比と、アイドラギヤ５から差動入力ギヤ７１までの動力伝達経路の変速比とが同じであっても良い。
【００７３】
（３）上記の実施形態では、入力ギヤ４と差動入力ギヤ７１との間での動力伝達を断接する係合装置ＣＬが、第１カウンタギヤ機構６Ａと同軸に配置された構成を例として説明した。しかし、そのような構成に限定されることなく、係合装置ＣＬが第１カウンタギヤ機構６Ａの回転軸心とは異なる軸（例えば第１軸Ｘ１）に配置されていても良い。また、車両用駆動装置１００が、係合装置ＣＬを備えない構成であっても良い。
【００７４】
（４）上記の実施形態では、係合装置ＣＬの軸方向Ｌの配置領域と、アイドラギヤ５の軸方向Ｌの配置領域とが重なっている構成を例として説明した。しかし、そのような構成に限定されることなく、係合装置ＣＬの軸方向Ｌの配置領域と、アイドラギヤ５の軸方向Ｌの配置領域とが重なっていなくても良い。
【００７５】
（５）上記の実施形態では、係合装置ＣＬが軸方向Ｌにおける第１カウンタ入力ギヤ６２Ａと第１カウンタ出力ギヤ６３Ａとの間に配置された構成を例として説明した。しかし、そのような構成に限定されることなく、例えば、係合装置ＣＬが第１カウンタ入力ギヤ６２Ａに対して軸方向第２側Ｌ２に配置されていても良い。或いは、係合装置ＣＬが第１カウンタ出力ギヤ６３Ａに対して軸方向第１側Ｌ１に配置されていても良い。
【００７６】
（６）上記の実施形態では、アイドラギヤ５が、入力ギヤ４に対して軸方向第１側Ｌ１であって、差動入力ギヤ７１に対して軸方向第２側Ｌ２に配置されている構成を例として説明した。しかし、そのような構成に限定されることなく、例えば、アイドラギヤ５が入力ギヤ４に対して軸方向第２側Ｌ２に配置されていても良い。また、アイドラギヤ５が差動入力ギヤ７１に対して軸方向第１側Ｌ１に配置されていても良い。
【００７７】
（７）上記の実施形態では、第１カウンタ出力ギヤ６３Ａ及び第２カウンタ出力ギヤ６３Ｂが、軸方向Ｌに沿う軸方向視で、第１回転電機１Ａ及び第２回転電機１Ｂの双方と重複しないように配置された構成を例として説明した。しかし、そのような構成に限定されることなく、第１カウンタ出力ギヤ６３Ａ及び第２カウンタ出力ギヤ６３Ｂが、軸方向Ｌに沿う軸方向視で、第１回転電機１Ａ及び第２回転電機１Ｂの少なくとも一方と重複するように配置されていても良い。
【００７８】
（８）上記の実施形態では、第１回転電機１Ａ及び第２回転電機１Ｂの少なくとも一方の軸方向Ｌの配置領域と、第１カウンタ出力ギヤ６３Ａ及び第２カウンタ出力ギヤ６３Ｂの双方の軸方向Ｌの配置領域とが重なっている構成を例として説明した。しかし、そのような構成に限定されることなく、例えば、第１回転電機１Ａ及び第２回転電機１Ｂの少なくとも一方の軸方向Ｌの配置領域と、第１カウンタ出力ギヤ６３Ａ及び第２カウンタ出力ギヤ６３Ｂの一方の軸方向Ｌの配置領域とが重なり、かつ、第１回転電機１Ａ及び第２回転電機１Ｂの双方の軸方向Ｌの配置領域と、第１カウンタ出力ギヤ６３Ａ及び第２カウンタ出力ギヤ６３Ｂの他方の軸方向Ｌの配置領域とが重なっていない構成としても良い。或いは、第１回転電機１Ａ及び第２回転電機１Ｂの双方の軸方向Ｌの配置領域と、第１カウンタ出力ギヤ６３Ａ及び第２カウンタ出力ギヤ６３Ｂの双方の軸方向Ｌの配置領域とが重なっていない構成としても良い。
【００７９】
（９）上記の実施形態では、入力ギヤ４及びアイドラギヤ５が、軸方向Ｌに沿う軸方向視で、第１回転電機１Ａ及び第２回転電機１Ｂの双方と重複するように配置された構成を例として説明した。しかし、そのような構成に限定されることなく、例えば、入力ギヤ４及びアイドラギヤ５の一方が、軸方向Ｌに沿う軸方向視で、第１回転電機１Ａ及び第２回転電機１Ｂの双方と重複しないように配置されていても良い。
【００８０】
（１０）上記の実施形態では、第１回転センサ９Ａ及び第２回転センサ９Ｂが、軸方向Ｌにおける第１ロータ１２Ａと第２ロータ１２Ｂとの間に配置された構成を例として説明した。しかし、そのような構成に限定されることなく、例えば、第１回転センサ９Ａが第１ロータ１２Ａに対して軸方向第２側Ｌ２に配置されていても良い。また、第２回転センサ９Ｂが第２ロータ１２Ｂに対して軸方向第１側Ｌ１に配置されていても良い。
【００８１】
（１１）上記の実施形態では、第１端子部１１３Ａと第２端子部１１３Ｂとが第２軸Ｘ２を基準とした周方向の異なる位置に配置され、第１端子部１１３Ａの軸方向Ｌの配置領域と、第２端子部１１３Ｂの軸方向Ｌの配置領域とが重なっている構成を例として説明した。しかし、そのような構成に限定されることなく、第１端子部１１３Ａの軸方向Ｌの配置領域と、第２端子部１１３Ｂの軸方向Ｌの配置領域とが重なっていなくても良い。
【００８２】
（１２）上記の実施形態では、軸方向Ｌに沿う軸方向視で、第１回転電機１Ａの回転軸心（第２軸Ｘ２）が、入力部材３の回転軸心（第１軸Ｘ１）に対して、差動歯車機構７の回転軸心（第５軸Ｘ５）の側とは反対側に配置された構成を例として説明した。しかし、そのような構成に限定されることなく、第２軸Ｘ２が、第１軸Ｘ１に対して、第１仮想平面Ｓ１に沿う方向における第５軸Ｘ５の側と同じ側に配置されていても良い。
【００８３】
（１３）上記の実施形態では、軸方向Ｌに沿う軸方向視で、第１回転電機１Ａの回転軸心（第２軸Ｘ２）が、入力部材３の回転軸心（第１軸Ｘ１）と差動歯車機構７の回転軸心（第５軸Ｘ５）とを含む第１仮想平面Ｓ１に対して下方に配置された構成を例として説明した。しかし、そのような構成に限定されることなく、軸方向Ｌに沿う軸方向視で、第２軸Ｘ２が第１仮想平面Ｓ１に対して上方に配置されていても良い。
【００８４】
（１４）なお、上述した各実施形態で開示された構成は、矛盾が生じない限り、他の実施形態で開示された構成と組み合わせて適用することも可能である。その他の構成に関しても、本明細書において開示された実施形態は全ての点で単なる例示に過ぎない。従って、本開示の趣旨を逸脱しない範囲内で、適宜、種々の改変を行うことが可能である。
【００８５】
〔上記実施形態の概要〕
以下では、上記において説明した車両用駆動装置（１００）の概要について説明する。
【００８６】
車両用駆動装置（１００）は、
内燃機関（ＥＧ）に駆動連結される入力部材（３）と、
それぞれ車輪（Ｗ）に駆動連結される一対の出力部材（８）と、
第１ロータ（１２Ａ）を備えた第１回転電機（１Ａ）と、
前記第１回転電機（１Ａ）と軸方向（Ｌ）に並んで配置され、前記第１ロータ（１２Ａ）と同軸に配置された第２ロータ（１２Ｂ）を備えた第２回転電機（１Ｂ）と、
前記第１ロータ（１２Ａ）と一体的に回転する第１ギヤ（２Ａ）と、
前記第２ロータ（１２Ｂ）と一体的に回転する第２ギヤ（２Ｂ）と、
前記入力部材（３）と一体的に回転し、前記第１ギヤ（２Ａ）と噛み合う第３ギヤ（４）と、
前記入力部材（３）に対して相対的に回転するように前記入力部材（３）と同軸に配置され、前記第２ギヤ（２Ｂ）と噛み合う第４ギヤ（５）と、
第５ギヤ（７１）を備え、前記第５ギヤ（７１）の回転を一対の前記出力部材（８）に分配する差動歯車機構（７）と、
前記第３ギヤ（４）と前記第５ギヤ（７１）とを駆動連結する第１カウンタギヤ機構（６Ａ）と、
前記第４ギヤ（５）と前記第５ギヤ（７１）とを駆動連結する第２カウンタギヤ機構（６Ｂ）と、を備えている。
【００８７】
この構成によれば、内燃機関（ＥＧ）の駆動力が、入力部材（３）、第３ギヤ（４）、第１カウンタギヤ機構（６Ａ）の順に経由して、差動歯車機構（７）に伝達される。また、第２回転電機（１Ｂ）の駆動力が、第２ギヤ（２Ｂ）、第４ギヤ（５）、第２カウンタギヤ機構（６Ｂ）の順に経由して、差動歯車機構（７）に伝達される。つまり、内燃機関（ＥＧ）から差動歯車機構（７）までの動力伝達経路である第１動力伝達経路（Ｐ１）と、第２回転電機（１Ｂ）から差動歯車機構（７）までの動力伝達経路である第２動力伝達経路（Ｐ２）とが、互いに独立して形成されている。これにより、第１動力伝達経路（Ｐ１）の変速比と第２動力伝達経路（Ｐ２）の変速比とを、個別に最適な値に設定することが容易となっている。
【００８８】
ここで、前記第３ギヤ（４）から前記第５ギヤ（７１）までの動力伝達経路の変速比と、前記第４ギヤ（５）から前記第５ギヤ（７１）までの動力伝達経路の変速比とが異なっていると好適である。
【００８９】
この構成によれば、第３ギヤ（４）、第１カウンタギヤ機構（６Ａ）、第５ギヤ（７１）の順に駆動力を伝達する動力伝達経路と、第４ギヤ（５）、第２カウンタギヤ機構（６Ｂ）、第５ギヤ（７１）の順に駆動力を伝達する動力伝達経路とが互いに独立しており、それらの動力伝達経路の変速比が互いに異なっている。したがって、内燃機関（ＥＧ）から差動歯車機構（７）までの第１動力伝達経路（Ｐ１）の変速比と、第２回転電機（１Ｂ）から差動歯車機構（７）までの第２動力伝達経路（Ｐ２）の変速比とのそれぞれを、適切に設定し易い。
【００９０】
また、前記第３ギヤ（４）と前記第５ギヤ（７１）との間での動力伝達を断接する係合装置（ＣＬ）を更に備え、
前記係合装置（ＣＬ）は、前記第１カウンタギヤ機構（６Ａ）と同軸に配置されていると好適である。
【００９１】
この構成によれば、内燃機関（ＥＧ）と差動歯車機構（７）との間の第１動力伝達経路（Ｐ１）を、内燃機関（ＥＧ）の駆動力を差動歯車機構（７）に伝達可能な接続状態と、内燃機関（ＥＧ）の駆動力を差動歯車機構（７）に伝達不可能な遮断状態とに切り替えることができる。そして、接続状態では車両用駆動装置（１００）をパラレルハイブリッドモードとすることができ、遮断状態では車両用駆動装置（１００）をシリーズハイブリッドモードとすることができる。
また、本構成によれば、係合装置（ＣＬ）が第１カウンタギヤ機構（６Ａ）と同軸に配置されている。つまり、係合装置（ＣＬ）の回転軸心と第１カウンタギヤ機構（６Ａ）の回転軸心が一致している。ここで、動力伝達経路における第１回転電機（１Ａ）と第１カウンタギヤ機構（６Ａ）との間には、入力部材（３）と第３ギヤ（４）とが配置されている。そのため、第１カウンタギヤ機構（６Ａ）の回転軸心（Ｘ３）が、外径が比較的大きい第１回転電機（１Ａ）及び第２回転電機（１Ｂ）の回転軸心（Ｘ２）から径方向（Ｒ）に離れた位置に配置されている。よって、第１カウンタギヤ機構（６Ａ）の回転軸心（Ｘ３）上においては、入力部材（３）の回転軸心（Ｘ１）上と比較して、第１回転電機（１Ａ）及び第２回転電機（１Ｂ）に干渉せずに部材を配置可能な軸方向（Ｌ）のスペースを確保し易い。したがって、本構成によれば、係合装置（ＣＬ）の配置による車両用駆動装置（１００）の軸方向（Ｌ）の寸法の大型化を抑制し易い。
【００９２】
前記係合装置（ＣＬ）を備えた構成において、
前記係合装置（ＣＬ）の前記軸方向（Ｌ）の配置領域と、前記第４ギヤ（５）の前記軸方向（Ｌ）の配置領域とが重なっていると好適である。
【００９３】
この構成によれば、軸方向（Ｌ）の配置領域が第４ギヤ（５）と重なるスペースを利用して、係合装置（ＣＬ）が配置されている。これにより、係合装置（ＣＬ）と第４ギヤ（５）との軸方向（Ｌ）の配置領域が重なっていない構成と比較して、車両用駆動装置（１００）の軸方向（Ｌ）の寸法の小型化が容易となっている。
【００９４】
また、前記係合装置（ＣＬ）を備えた構成において、
前記第１カウンタギヤ機構（６Ａ）は、前記第３ギヤ（４）に噛み合う第６ギヤ（６２Ａ）と、前記第６ギヤ（６２Ａ）に対して相対的に回転可能に配置され、前記第５ギヤ（７１）に噛み合う第７ギヤ（６３Ａ）と、を備え、
前記第２カウンタギヤ機構（６Ｂ）は、前記第４ギヤ（５）に噛み合う第８ギヤ（６２Ｂ）と、前記第８ギヤ（６２Ｂ）と一体的に回転すると共に前記第５ギヤ（７１）に噛み合う第９ギヤ（６３Ｂ）と、を備え、
前記第４ギヤ（５）は、前記第３ギヤ（４）に対して、前記軸方向（Ｌ）の一方側（Ｌ１）に配置されていると共に、前記第５ギヤ（７１）に対して、前記軸方向（Ｌ）の他方側（Ｌ２）に配置され、
前記係合装置（ＣＬ）は、前記軸方向（Ｌ）における前記第６ギヤ（６２Ａ）と前記第７ギヤ（６３Ａ）との間に配置されていると好適である。
【００９５】
この構成によれば、軸方向（Ｌ）における第３ギヤ（４）の配置領域と第５ギヤ（７１）の配置領域との間に、第４ギヤ（５）が配置されている。そのため、第３ギヤ（４）と噛み合う第６ギヤ（６２Ａ）が、第４ギヤ（５）と噛み合う第８ギヤ（６２Ｂ）よりも、第７ギヤ（６３Ａ）及び第９ギヤ（６３Ｂ）と噛み合う第５ギヤ（７１）から軸方向（Ｌ）に離れた位置に配置されている。つまり、第１カウンタギヤ機構（６Ａ）における第６ギヤ（６２Ａ）と第７ギヤ（６３Ａ）との軸方向（Ｌ）の距離は、第２カウンタギヤ機構（６Ｂ）における第８ギヤ（６２Ｂ）と第９ギヤ（６３Ｂ）との軸方向（Ｌ）の距離よりも大きい。これにより、軸方向（Ｌ）における前記第６ギヤ（６２Ａ）と前記第７ギヤ（６３Ａ）との間にスペースを確保し易い。したがって、係合装置（ＣＬ）の配置による車両用駆動装置（１００）の軸方向（Ｌ）の寸法の大型化を抑制し易い。
【００９６】
前記第１カウンタギヤ機構（６Ａ）が前記第６ギヤ（６２Ａ）と前記第７ギヤ（６３Ａ）とを備えると共に、前記第２カウンタギヤ機構（６Ｂ）が前記第８ギヤ（６２Ｂ）と前記第９ギヤ（６３Ｂ）とを備えた構成において、
前記第７ギヤ（６３Ａ）及び前記第９ギヤ（６３Ｂ）は、前記軸方向（Ｌ）に沿う軸方向視で、前記第１回転電機（１Ａ）及び前記第２回転電機（１Ｂ）の双方と重複しないように配置され、
前記第１回転電機（１Ａ）及び前記第２回転電機（１Ｂ）の少なくとも一方の前記軸方向（Ｌ）の配置領域と、前記第７ギヤ（６３Ａ）及び前記第９ギヤ（６３Ｂ）の双方の前記軸方向（Ｌ）の配置領域とが重なっていると好適である。
【００９７】
この構成によれば、第７ギヤ（６３Ａ）及び第９ギヤ（６３Ｂ）の軸方向（Ｌ）の配置領域が第１回転電機（１Ａ）及び第２回転電機（１Ｂ）の双方の軸方向（Ｌ）の配置領域と重なっていない構成と比較して、車両用駆動装置（１００）の軸方向（Ｌ）の寸法の小型化が容易となっている。
【００９８】
また、前記第３ギヤ（４）及び前記第４ギヤ（５）が、前記軸方向（Ｌ）に沿う軸方向視で、前記第１回転電機（１Ａ）及び前記第２回転電機（１Ｂ）の双方と重複するように配置されていると好適である。
【００９９】
この構成によれば、第３ギヤ（４）及び第４ギヤ（５）が軸方向視で第１回転電機（１Ａ）と重複していない構成と比較して、車両用駆動装置（１００）の径方向（Ｒ）の寸法の小型化が容易となっている。
【０１００】
また、前記第１ロータ（１２Ａ）の回転を検出する第１回転センサ（９Ａ）と、前記第２ロータ（１２Ｂ）の回転を検出する第２回転センサ（９Ｂ）と、を更に備え、
前記第１回転センサ（９Ａ）及び前記第２回転センサ（９Ｂ）が、前記軸方向（Ｌ）における前記第１ロータ（１２Ａ）と前記第２ロータ（１２Ｂ）との間に配置されていると好適である。
【０１０１】
一般的に、第１回転電機（１Ａ）と第２回転電機（１Ｂ）とが軸方向（Ｌ）に並んで配置された構成では、第１回転電機（１Ａ）のステータコイル（１１２Ａ）と第２回転電機（１Ｂ）のステータコイル（１１２Ｂ）との干渉を回避する都合上、軸方向（Ｌ）における第１ロータ（１２Ａ）と第２ロータ（１２Ｂ）との間にスペースが生じ易い。
本構成によれば、このスペースを利用して、第１回転センサ（９Ａ）及び第２回転センサ（９Ｂ）が配置されている。これにより、第１回転センサ（９Ａ）及び第２回転センサ（９Ｂ）の配置による車両用駆動装置（１００）の軸方向（Ｌ）の寸法の大型化を抑制することができる。
【０１０２】
また、前記第１回転電機（１Ａ）のステータコイル（１１２Ａ）の端子部である第１端子部（１１３Ａ）が、前記軸方向（Ｌ）における前記第２回転電機（１Ｂ）の側に突出し、
前記第２回転電機（１Ｂ）のステータコイル（１１２Ｂ）の端子部である第２端子部（１１３Ｂ）が、前記軸方向（Ｌ）における前記第１回転電機（１Ａ）の側に突出し、
前記第１端子部（１１３Ａ）と前記第２端子部（１１３Ｂ）とが、前記第１回転電機（１Ａ）の周方向の異なる位置に配置され、
前記第１端子部（１１３Ａ）の前記軸方向（Ｌ）の配置領域と、前記第２端子部（１１３Ｂ）の前記軸方向（Ｌ）の配置領域とが重なっていると好適である。
【０１０３】
この構成によれば、軸方向（Ｌ）に突出する端子部（１１３Ａ，１１３Ｂ）を有するステータコイル（１１２Ａ，１１２Ｂ）をそれぞれ備えた第１回転電機（１Ａ）と第２回転電機（１Ｂ）との軸方向（Ｌ）の配置領域を小さく抑えることができる。これにより、車両用駆動装置（１００）の軸方向（Ｌ）の寸法の小型化が容易となっている。
【０１０４】
また、前記軸方向（Ｌ）に沿う軸方向視で、前記第１回転電機（１Ａ）の回転軸心（Ｘ２）は、前記入力部材（３）の回転軸心（Ｘ１）に対して、前記差動歯車機構（７）の回転軸心（Ｘ５）の側とは反対側に配置されていると好適である。
【０１０５】
この構成によれば、軸方向視で、第１回転電機（１Ａ）及び第２回転電機（１Ｂ）を、差動歯車機構（７）から離して配置することができる。これにより、第１回転電機（１Ａ）及び第２回転電機（１Ｂ）が、差動歯車機構（７）から軸方向（Ｌ）に突出するように配置された一対の出力部材（８）と干渉することを回避しつつ、第１回転電機（１Ａ）及び第２回転電機（１Ｂ）のそれぞれの径方向（Ｒ）の寸法を大型化することが可能となる。したがって、車両用駆動装置（１００）の軸方向（Ｌ）の寸法の大型化を抑制しつつ、第１回転電機（１Ａ）及び第２回転電機（１Ｂ）の性能を確保することが容易となっている。
【０１０６】
また、前記軸方向（Ｌ）に沿う軸方向視で、前記第１回転電機（１Ａ）の回転軸心（Ｘ２）は、前記入力部材（３）の回転軸心（Ｘ１）と前記差動歯車機構（７）の回転軸心（Ｘ５）とを含む仮想平面（Ｓ１）に対して下方に配置されていると好適である。
【０１０７】
この構成によれば、第１回転電機（１Ａ）及び第２回転電機（１Ｂ）のそれぞれの上端位置を低く抑えることが容易となっている。これにより、車両用駆動装置（１００）の上方への突出量を小さく抑えることができる。その結果、車両用駆動装置（１００）の車両への搭載性を良好なものとし易い。
【産業上の利用可能性】
【０１０８】
本開示に係る技術は、内燃機関に駆動連結される入力部材と、それぞれ車輪に駆動連結される一対の出力部材と、第１回転電機及び第２回転電機と、を備えた車両用駆動装置に利用することができる。
【符号の説明】
【０１０９】
１００  ：車両用駆動装置
１Ａ    ：第１回転電機
１２Ａ  ：第１ロータ
１Ｂ    ：第２回転電機
１２Ｂ  ：第２ロータ
２Ａ    ：第１ロータギヤ（第１ギヤ）
２Ｂ    ：第２ロータギヤ（第２ギヤ）
３      ：入力部材
４      ：入力ギヤ（第３ギヤ）
５      ：アイドラギヤ（第４ギヤ）
６Ａ    ：第１カウンタギヤ機構
６Ｂ    ：第２カウンタギヤ機構
７      ：差動歯車機構
７１    ：差動入力ギヤ（第５ギヤ）
８      ：出力部材
ＥＧ    ：内燃機関
Ｗ      ：車輪
Ｌ      ：軸方向
Ｌ１    ：軸方向第１側
Ｌ２    ：軸方向第２側
【図１】
2020192912.tif 000003
【図２】
2020192912.tif 000004
【図３】
2020192912.tif 000005
【図４】
2020192912.tif 000006
【図５】
2020192912.tif 000007